(57)【要約】【課題】画像形成装置における中間転写に起因するガマット歪を補正する。【解決手段】中間転写を行い記録媒体上に複数の色材を重ねて印刷を行う画像形成装置であって、前記記録媒体に中間転写される各色材毎に、前記色材の色値の基準色値に対する補正量を表す補正パラメータを算出する補正パラメータ算出手段１１と、前記複数の各色材について当該色材の色値を、当該色材の前記補正パラメータ及び当該色材よりも上に重ねた色材の色値に基づき補正する補正手段４と、を備え、中間転写に起因するガマット歪を補正する。【選択図】          図１
2014057155.tif 000002
【特許請求の範囲】
【請求項１】
中間転写を行い記録媒体上に複数の色材を重ねて印刷を行う画像形成装置であって、
前記記録媒体に中間転写される各色材毎に、前記色材の色値の基準色値に対する補正量を表す補正パラメータを算出する補正パラメータ算出手段と、
前記複数の各色材について当該色材の色値を、当該色材の前記補正パラメータ及び当該色材よりも上に重ねた色材の色値に基づき補正する補正手段と、
を備え、
中間転写に起因するガマット歪を補正することを特徴とする画像形成装置。
【請求項２】
請求項１に記載された画像形成装置において、
前記補正手段は、前記複数の各色材について、当該色材の色値を、当該色材よりも上に重ねられる色材の色値と重ね順、及び当該色材の前記補正パラメータについての所定の関係式に基づき、当該色材の補正色値を算出することを特徴とする画像形成装置。
【請求項３】
請求項２に記載された画像形成装置において、
前記所定の関係式は、線形変換関数で規定した式であることを特徴とする画像形成装置。
【請求項４】
請求項１ないし３のいずれかに記載された画像形成装置において、
前記補正パラメータ算出手段は、パッチ画像を前記記録媒体に出力するパッチ画像出力手段と、出力したパッチ画像を測色する測色手段とを備え、測色値に基づき算出した前記記録媒体の単色階調特性と、基準記録媒体の単色階調特性に基づき前記補正パラメータを算出することを特徴とする画像形成装置。
【請求項５】
請求項１ないし４のいずれかに記載された画像形成装置において、
前記補正パラメータを設定する補正パラメータ設定手段を備え、
前記補正パラメータ設定手段が、記録媒体のリストと対応させて補正パラメータを記憶する記憶手段を備えたことを特徴とする画像形成装置。
【請求項６】
請求項１ないし５のいずれかに記載された画像形成装置とネットワークを介して接続されたサーバからなる画像形成システムであって、
前記サーバが記録媒体のリストと対応させて補正パラメータを記憶する記憶手段を備えていることを特徴とする画像形成システム。
【請求項７】
請求項６に記載された画像形成システムにおいて、
複数の前記画像形成装置をネットワークを介して前記サーバに接続し、
前記画像形成装置はそれぞれ他の前記画像形成装置を色再現ターゲットとして指定するモードを有し、
前記補正手段は、ネットワークを介して取得した他の前記画像形成装置の補正パラメータに基づき、前記複数の色材の色値を補正することを特徴とする画像形成システム。
【請求項８】
中間転写を行い記録媒体上に複数の色材を重ねて印刷を行う画像形成装置における、中間転写に起因するガマット歪を補正する方法であって、
前記記録媒体に中間転写される各色材毎に、前記色材の色値の基準色値に対する補正量を表す補正パラメータを算出する補正パラメータ算出工程と、
前記複数の各色材について当該色材の色値を、当該色材の前記補正パラメータ及び当該色材よりも上に重ねた色材の色値に基づき補正する補正工程と、
を有することを特徴とする中間転写に起因するガマット歪を補正する方法。
【発明の詳細な説明】
【技術分野】
【０００１】
本発明は、画像形成装置、画像形成システム及びガマット歪を補正する方法に関する。
【背景技術】
【０００２】
プリンタや複写機のカラーマネージメントでは、記録媒体や出力装置の違いによってガマット差が発生すること、及び、そのため、記録媒体上にパッチを出力し、出力したパッチを読み取り、読み取ったデータに基づきガマット差を補正することが知られている。
しかし、従来のガマット差（又は歪）の補正では、中間転写を行い記録媒体上に複数の色材を重ねる画像形成装置で、記録媒体または出力装置の違いによって発生する転写特性に起因したガマット歪を補正することはできない。
【０００３】
例えば、特許文献１には、記録媒体の種類毎に適切な補正用データを設定できるようにするため、記録媒体上に所定のキャリブレーション用画像を形成し、このキャリブレーション用画像を読み取り、読み取ったキャリブレーション用画像のデータに基づいて、記録媒体の種類別に補正用データ（ガンマ補正データ）を作成する画像形成装置のキャリブレーション方法が開示されている。
このキャリブレーション方法は、記録媒体上にパッチを出力し、出力したパッチを読み取り、記録媒体によって発生する濃度差（ガマット差）を補正する点では本発明と類似する点がある。しかし、記録媒体または出力装置の違いによって発生する転写特性に起因したガマット歪を補正することはできない。
【発明の概要】
【発明が解決しようとする課題】
【０００４】
本発明の目的は、中間転写を行い記録媒体上に複数の色材を重ねて印刷を行う画像形成装置において、中間転写に起因するガマット歪を補正することである。
【課題を解決するための手段】
【０００５】
本発明は、中間転写を行い記録媒体上に複数の色材を重ねて印刷を行う画像形成装置であって、前記記録媒体に中間転写される各色材毎に、前記色材の色値の基準色値に対する補正量を表す補正パラメータを算出する補正パラメータ算出手段と、前記複数の各色材について当該色材の色値を、当該色材の前記補正パラメータ及び当該色材よりも上に重ねた色材の色値に基づき補正する補正手段と、を備え、中間転写に起因するガマット歪を補正することを特徴とする画像形成装置である。
【発明の効果】
【０００６】
本発明によれば、中間転写を行い記録媒体上に複数の色材を重ねて印刷を行う画像形成装置において、中間転写に起因するガマット歪を補正することができる。
【図面の簡単な説明】
【０００７】
【図１】本発明の実施形態に係る画像形成装置を概略的に説明する図である。
【図２】記録媒体上に画像形成する際の色材の重ね順について説明する図である。
【図３】表面が滑らかな用紙Ａに形成される色材層について説明する図である。
【図４】表面が粗い用紙Ｂに形成される色材層について説明する図である。
【図５】縦軸にＹ単色階調濃度、横軸にＹ入力階調値を取って、算出した用紙Ａと用紙ＢのそれぞれのＹ色の単色階調特性を示す図である。
【図６】用紙Ａのガマットについて説明する図である。
【図７】用紙Ｂのガマットについて説明する図である。
【図８】補正手段の狙いのガマットについて説明する図である。
【図９】図１の補正パラメータ設定手段の動作手順を説明するフロー図である。
【図１０】ネットワークを介して接続された画像形成装置とサーバからなる画像形成システムの実施形態について説明する図である。
【図１１】画像形成システムの別の実施形態について説明する図である。
【発明を実施するための形態】
【０００８】
以下、本発明の実施の形態を、図面を参照して説明する。
本実施形態は、概略的には、中間転写を行う画像形成装置において、記録媒体または出力装置の違いによって発生するガマット差（又はガマット歪）の補正に際して、複数の色材に対応した複数の色値を、それぞれ色材の重ね順を反映させて補正する点に特徴を有する。
【０００９】
図１は、本発明の実施形態に係る画像形成装置を概略的に説明する図である。
この画像形成装置は、図示のように、画像データ取得手段１と、色変換手段２、３と、補正手段４と、補正パラメータ設定手段５と、プリンタ出力手段６を備えている。
【００１０】
ここで、画像データ取得手段１は入力画像の画像データを取得する。色変換手段２は、入力画像をＰＣＳ（Profile Connection Space）と呼ばれるデバイス非依存の色空間の色値に変換する。色変換手段３は、ＰＣＳからプリンタ出力手段６で使用する色材（トナー）の色に対応したＹＭＣＫ（イエロー、マゼンタ、シアン、ブラック）各色に変換する。
なお、以下の説明において、ＹＭＣＫの色をあらわすときはＹＭＣＫ各色といい、単にＹＭＣＫというときはその色値を表す。また、Ｙ’Ｍ’Ｃ’Ｋ’は補正後の色値を表す。
【００１１】
補正手段４は、ＹＭＣＫ各色の補正手段４１〜４４で構成される。補正手段４１〜４４は、補正パラメータ設定手段５で設定され記憶手段８に記憶されたＹＭＣＫの補正量を表す補正パラメータＴｙ、Ｔｍ、Ｔｃ、Ｔｋに応じて、ＹＭＣＫを補正してＹ’Ｍ’Ｃ’Ｋ’を生成し、プリンタ出力手段６は、Ｙ’Ｍ’Ｃ’Ｋ’に基づき、中間転写方式で記録媒体（本実施形態では用紙）上に画像形成する。
補正パラメータ設定手段５は、オペレーションパネル７と、測色手段１０と、補正パラメータ算出手段１１と、算出した補正パラメータＴｙ、Ｔｍ、Ｔｃ、Ｔｋを記憶する記憶手段８と、オペレーションパネル７の操作によりパッチ画像データをプリンタ出力手段６に送信するパッチ画像データ送信手段９を備えている。
【００１２】
次に、ＹＭＣＫを補正する場合に前提となる事項について説明する。
まず、ＹＭＣＫを補正する場合に、記録媒体である用紙上に画像形成する際の色材の重ね順により、その補正の仕方が変わることについて説明する。
図２は、記録媒体上に画像形成する際の色材の重ね順について説明する図である。
ここでの説明では、用紙を下にしたとき、上からＹＭＣＫ各色の順に色材が重ねられることを前提にして行う。
即ち、Ｙ（イエロー）を補正するＹ補正手段４１は、ＹＭＣＫ各色のうちＹ１色を用いて補正する。Ｍ（マゼンタ）を補正するＭ補正手段４２は、ＹＭＣＫ各色のうちＹとＭの２色を用いて補正する。Ｃ（シアン）を補正するＣ補正手段４３は、ＹＭＣＫ各色のうちＹとＭとＣの３色を用いて補正する。Ｋ（ブラック）を補正するＫ補正手段４４は、ＹＭＣＫ各色のうちＹとＭとＣとＫの４色を用いて補正する。
このように、補正手段４は、それぞれ色材の重ね順を反映した１色から４色の色値を用いて補正する。
【００１３】
また、ＹＭＣＫを補正する場合に、用紙の表面の状態によりトナーの転写量に差が生じるため、次に、これを考慮して補正を行うことについて説明する。
図３は、表面が滑らかな（平滑度（例えばベック平滑度）が所定の閾値以上であるものを云う）記録媒体（用紙Ａという）に形成される色材層について説明する図である。
表面が滑らかな用紙の場合には、用紙上にはトナーが比較的均一に転写されることが知られている。Ｃトナーのみで形成される単色も、ＹトナーとＣトナーを重ねて形成される混色でもその特性は変わらない。図３においてＣトナーに着目すると、単色でも混色でも用紙には同じ量のＣトナーが概ね均一に載っていることが分かる。
【００１４】
図４は、表面が粗い（平滑度が前記「滑らかさ」について定めた閾値と異なる所定の閾値以下のものを云う）記録媒体（用紙Ｂという）に形成される色材層について説明する図である。
表面が粗い用紙Ｂの場合、後述の転写残りによってトナーが不均一になる。
即ち、中間転写方式を採用してカラー画像を形成する画像形成装置では、感光体ドラム等の像担持体に電子写真プロセスにより形成する複数色（フルカラー画像を形成する場合は、ＹＭＣＫ各色の色材像を、ベルト状又はドラム状の中間転写体に一次転写させる。その後、その中間転写体に転写された複数色のトナー像を普通紙、コート紙などの記録媒体に二次転写させ、最後に二次転写による色材像を記録用紙に定着することで所望のカラー画像を形成する。
【００１５】
この中間転写方式を採用する画像形成装置でカラー画像を形成する場合、中間転写体上には最多でＹＭＣＫ４色の色材像が重なって形成される。この複数色の色材像を記録媒体に一括して二次転写すると、中間転写体上で最下層にある色材像（層）の一部が記録媒体（用紙）側に転写されず、中間転写体に残る現象（転写残り）が発生することがある（なお、「転写残り」については、例えば、特開２００２−１３２００３号公報参照）。
転写残りが発生すると、当然のことながらその転写されなかった色の記録媒体上における色材量が正常なときに比べて減少する。
【００１６】
この転写残りについては、表面が一定程度滑らかな用紙Ａでは既に述べたように、比較的均一に転写され転写残りが問題になることはないが、表面が一定程度粗い用紙Ｂでは、用紙Ｂの一番上に載るトナーで転写残りが発生する。用紙Ｂの一番上の色材層の凹凸部分が転写残りで用紙上に転写されないと、図３に示す表面が滑らかな用紙Ａに比べて、用紙上に載るトナーの量が少なくなる。
【００１７】
なお、転写残りが発生するのは一般に用紙Ｂの一番上の色材層だけであり、その下の色材層では発生しない。即ち、図４において、Ｃトナーに着目すると、図中左側の単色のＣトナーは転写残りが発生してトナー量が少なくなり濃度が低下する。他方、図中右側の混色のＹトナーの下に形成されるＣトナーではトナー量の減少は起こらない。
このように、用紙Ｂ上のＣトナーの量及びその色値は、その上に載る色材の有無および上に載る色材の色値で決まる。つまり、上の色が下の色に影響を与えることが分かった。
【００１８】
次に、補正パラメータ算出手段１１における補正パラメータ算出処理について説明する。
図３と図４の比較から明らかなように、用紙Ａと用紙Ｂとでは単色べたパッチで転写後のトナー量が異なるため濃度差が発生する。そこで、基準用紙データと比較することで補正パラメータを算出する。
【００１９】
補正パラメータ算出手段１１は、基準用紙データと出力に使用する用紙の単色階調特性から補正パラメータを算出する。即ち、補正パラメータ算出手段１１は、最初に記憶手段８から基準用紙データを読み出す。ここで、基準用紙データは、表面が滑らかな用紙の一種類を基準用紙として、この基準用紙にパッチ画像を出力して測色し、測色した値（色値）に基づき算出した単色階調特性である。また、補正パラメータ算出手段１１は、出力に使用する用紙に出力（印刷）したパッチ画像の測色値から、単色階調特性を算出する。
【００２０】
パッチ画像データ送信手段９が送信するパッチ画像データは、単色階調特性算出のため、ＹＭＣＫ各色の単色の中間階調と、べたのパッチを含んでいる。測色手段１０は出力したパッチを測色してパッチのＬ＊ａ＊ｂ＊値（均等色空間（例えば、ＣＩＥ（国際照明委員会）Ｌ＊ａ＊ｂ＊色空間）値）を取得すると同時に、用紙白を測色して用紙白のＬ＊ａ＊ｂ＊値を取得する。補正パラメータ算出手段１１は、取得したＬ＊ａ＊ｂ＊値から各単色パッチの用紙白との距離（色差）を単色階調濃度として求め、ＹＭＣＫ各色毎に用紙白に該当する原点を固定して多項式近似し、単色階調特性を算出する。
【００２１】
図５は、縦軸にＹ単色階調濃度を、また横軸にＹ入力階調値を取って、算出した用紙Ａ（基準用紙データ）と用紙ＢのそれぞれのＹ色の単色階調特性を示す図である。ここで、Ｙ入力階調値は、パッチ画像データ送信手段９が送信するＹ色単色パッチの値（ここでは、８ｂｉｔデータつまり０〜２５５の間の値で表した色値）である。単色階調特性を多項式近似で求めるのは、階調のがたつきによる補正パラメータの変動を抑えるためである。
【００２２】
補正パラメータ算出手段１１では、用紙Ａが基準用紙であり、用紙Ｂが出力に使用する用紙であるとして、補正パラメータ、ここではＹの補正パラメータＴｙを求める。即ち、用紙Ａの入力階調値ｘ１と用紙Ｂの入力階調値ｘ１×Ｔｙ＝２５５における単色階調濃度が概ね同じになる補正パラメータＴｙを、Ｙの補正パラメータとして算出する。
【００２３】
その算出方法は以下の通りである。
即ち、図５の用紙Ａの単色階調特性は、多項式近似の結果、関数ｆ（ｘ）で表せるものとし、一方、用紙ＢのＹ単色階調濃度の最大値をｕとする。ここでは、ｆ（ｘ）がｕにほぼ等しくなるｘ、即ちｆ（ｘ）−ｕを最小化する最適値ｘを求める。この最適値ｘを求める方法は、二分法、或いはこれを応用したBrent法等幾つか知られているため、これら周知の手法により求めることができる。求めた最適値ｘをｘ１として、Ｔｙ＝２５５／ｘ１に代入することで補正パラメータＴｙを得ることができる。
つまり、補正パラメータＴｙは、図５においては、用紙Ａ、用紙Ｂともに、同じＹ単色階調濃度で、しかも用紙ＢにおけるＹ単色階調濃度を最大値にするときのＹ入力階調値ｘに対する比率である（後記、図７で云えば、ガマットＹＭＣの三次元ＬＵＴで表した場合の用紙Ａと用紙ＢのＹ軸（Ｃ＝Ｍ＝０）に関するガマット比率である）。
【００２４】
補正パラメータはＹＭＣＫ各色毎に算出する。図５はＹの補正パラメータＴｙについて説明した図であるが、ＭＣＫについても同様に入力階調値に対する比率を求めて、基準用紙データとの対比で補正パラメータＴｍ、Ｔｃ、Ｔｋを算出する。
【００２５】
次に、表面が粗い用紙Ｂに対してカラー画像を転写する場合における、これらの補正パラメータを用いた補正について説明する。
図６は、用紙Ａのガマットについて説明する図である。
表面が滑らかな用紙Ａのガマットと、表面が粗い用紙Ｂのガマットの差を説明するため、ここでは用紙ＡのガマットをＹＭＣの三次元ＬＵＴ（Look Up Table）で立方体として定義する。ＹＭＣ各色の入力階調値は、ここでは正規化して０から１の値をとり、１は「べた」を表すものとして説明する。つまり、図５で説明した入力階調値の最大値「２５５」は、図６の「１」に対応している。また、本来はＹＭＣＫ各色の四次元でガマットを表すべきであるが、ここでは互いに直交するＹＭＣ軸で規定する三次元空間で説明する。三次元でも四次元でも本質は同じである。
【００２６】
図７は、用紙Ｂのガマットについて説明する図である。
用紙Ａのガマット（図７の点線）に対して、用紙Ｂのガマット（図７の実線）は各頂点がＹＭＣ軸のいずれか一方向に歪んだ狭いガマットになる。歪が発生する軸方向は、ＹＭＣ各色の重ね順で一番上に載る色の色値の歪に対応している。
つまり、図４で説明したとおり、用紙Ｂの一番上に載る色は転写残りの影響でトナー量が少なくなり濃度が低下する。つまり、一番上に載る色の濃度低下が、ガマット歪を発生させる。
【００２７】
図８は、補正手段４の狙いの（又は目標となる）ガマットについて説明する図である。
補正手段４では、図７に示す用紙Ｂのガマットを図８のガマットに補正し、表面が粗い用紙Ｂで発生するガマット歪を補正する。具体的には、ＹＭＣＫ各色の補正手段４１〜４４は、線形変換関数で定義されたそれぞれ異なる以下の式１〜式４を適用することにより、図７から図８のガマットへの補正を行う。
ここで、本実施形態では、Ｙ補正手段４１では式１を適用し、Ｍ補正手段４２では式２を適用し、Ｃ補正手段４３では式３を適用し、Ｋ補正手段４４では式４を適用する。いずれも上に載る色材の色値を使用して補正する式になっている。
【００２８】
表面が粗い用紙Ｂでは、図４で説明したとおり上の色が下の色に影響を与えるため、上に載る色材の色値を使って補正する必要がある。式１から式４で使われている関数ｆ（・）は、後述のように式５で定義される線形変換関数である。本実施形態では、後述するように比較的簡易な変換式で補正を行うことができる。
【００２９】
【数１】
2014057155.tif 000003
【００３０】
ここで、以上の式１〜式５について説明する。
式１〜式５は、図７のガマットから図８のガマットへの変換を式で表したものである。即ち、用紙Ｂは、図４で説明したように、単色の場合は転写残りの影響を受けるが、混色の場合は、トナー重ね順に応じて一番上に載る色のみ転写残りの影響を受けて図７のガマット歪が発生する。そこで、補正手段４はこれを図８のガマットのように補正する。
まず、一番上に載るＹ色（式１）に関しては、結果的に単色か混色かに関係なく転写残りの影響を受けるので、実質補正は行わない。つまり、式１において、ｆ（０，Ｔｙ）＝ＴｙであるからＹ′＝Ｙになる。
【００３１】
次に、重ね順がＹ色の次になるＭ色（式２）については、上にＹ色が載る場合のみ転写残りの影響を受けないため、Ｙ色とのバランスを取るため補正する。即ち上にＹ色が載らないＹ＝０の場合はＭ＝Ｍ′として実質補正せず（つまり、式１と同じ）、上にＹ色が載るＹ＝１の場合は、Ｍ′＝Ｍ／Ｔｍに補正するため、そのための変換式を立てる。これを最も単純な線形変換式（中間０＜Ｙ＜１で、Ｍ′＝Ｍ〜Ｍ／Ｔｍの間を線形補間する式）で表すと、Ｍ′＝（１−Ｙ）×Ｍ＋Ｙ×Ｍ／Ｔｍ＝［（１−Ｙ）Ｔｍ＋Ｙ］×Ｍ／Ｔｍになる。
【００３２】
次に、重ね順がＭ色の次になるＣ（式３）に関しては、上にＹ色が載らないＹ＝０の場合は、式２と同様にＭとＣの２色の関係と見られるため、Ｃ′＝［（１−Ｍ）Ｔｃ＋Ｍ］×Ｃ／Ｔｃとなる。
上にＹ色が載るＹ＝１の場合は、Ｃ′＝Ｃ／Ｔｃに補正するため、以上を合わせた式を立てると、Ｃ′＝（１−Ｙ）×［（１−Ｍ）Ｔｃ＋Ｍ］×Ｃ／Ｔｃ＋Ｙ×Ｃ／Ｔｃ＝［（１−Ｙ）×［（１−Ｍ）Ｔｃ＋Ｍ］＋Ｙ］×Ｃ／Ｔｃとなる。
【００３３】
次に、重ね順がＣ色の次になるＫ色（式４）については、上にＹ色が載らないＹ＝０の場合は、式３と同様にＭ、Ｃ、Ｋの３色の関係で考えられるため、Ｋ′＝［（１−Ｍ）×［（１−Ｃ）Ｔｋ＋Ｃ］＋Ｍ］×Ｋ／Ｔｋとなる。上にＹ色が載るＹ＝１の場合は、Ｋ′＝Ｋ／Ｔｋに補正するため、以上を合わせた式を立てると、Ｋ′＝（１−Ｙ）×［（１−Ｍ）×［（１−Ｃ）Ｔｋ＋Ｃ］＋Ｍ］×Ｋ／Ｔｋ＋Ｙ×Ｋ／Ｔｋ＝［（１−Ｙ）×［（１−Ｍ）×［（１−Ｃ）Ｔｋ＋Ｃ］＋Ｍ］＋Ｙ］×Ｋ／Ｔｋとなる。
以上の式を一般化して簡潔に表すため、式５で最も単純な線形変換式である関数ｆ（・）を定義して［］内の部分をｆ（・）の入れ子で表したものである。
【００３４】
図９は、図１の補正パラメータ設定手段５の動作手順を説明するフロー図である。
即ち、ユーザはオペレーションパネル７を操作して既知の用紙リストを表示させ（Ｓ１０１）、表示させた用紙リストに、出力に使用する用紙種（種類：銘柄であってもよい）があるか否か確認する（Ｓ１０２）。出力に使用する用紙種が用紙リストにあるときは（Ｓ１０２、ＹＥＳ）、オペレーションパネル７に表示された用紙リストから該当用紙を選択し（Ｓ１０３）、記憶手段８から該当用紙の各色値の補正量を表す補正パラメータＴｙ、Ｔｍ、Ｔｃ、Ｔｋを読み出し（Ｓ１０９）、処理を終了する。
【００３５】
ステップＳ１０２において、用紙リストに出力に使用する用紙種がないときは（Ｓ１０２、ＮＯ）、補正パラメータＴｙ、Ｔｍ、Ｔｃ、Ｔｋを既に述べた方法で新規に算出する。即ち、オペレーションパネル７で「用紙データの新規作成」ボタンを選択する（Ｓ１０４）。これにより、補正パラメータ算出用のパッチ画像データがパッチ画像データ送信手段９によってプリンタに送信され、プリンタ出力手段６から、出力に使用する用紙種の用紙上にパッチ画像がプリント出力される（Ｓ１０５）。続いて、測色手段１０で出力したパッチ画像を測色し（Ｓ１０６）、補正パラメータ算出手段１１は、測色手段１０で測色した色値に基づき補正パラメータＴｙ、Ｔｍ、Ｔｃ、Ｔｋを算出する（Ｓ１０７）。算出した補正パラメータＴｙ、Ｔｍ、Ｔｃ、Ｔｋは、用紙リストに追加して次回から新規算出せずに補正パラメータＴｙ、Ｔｍ、Ｔｃ、Ｔｋの設定ができるように記憶手段８に記憶する（Ｓ１０８）。続いて、記憶手段８から新規記憶した補正パラメータＴｙ、Ｔｍ、Ｔｃ、Ｔｋを読み出し（Ｓ１０９）、補正パラメータ設定手段５の処理を終了する。
【００３６】
図１０は、ネットワークを介して接続された画像形成装置とサーバからなる画像形成システムの実施形態について説明する図である。
ネットワーク１００を介して、サーバ１０１と画像形成装置１０２が接続されている。サーバ１０１には、用紙データ（用紙に対応した補正パラメータを含む）を記憶する記憶手段が設けられている。ここで、画像形成装置１０２は図１の構成になっている。
【００３７】
オペレーションパネル７には、画像形成装置１０２の記憶手段８に記憶された用紙種だけでなく、サーバ１０１に設けられた記憶手段（図示せず）に記憶されている用紙種も表示することができ、ユーザはその中から出力に使用する用紙種と一致するものを選択する。
サーバ１０１に設けられた記憶手段から用紙種が選択された場合は、ローカルの記憶手段である画像形成装置１０２の記憶手段８にネットワーク１００を介して用紙データをダウンロードして、その補正パラメータを補正手段４で使用する。
【００３８】
記憶手段をネットワーク上のサーバ１０１に設けて情報共有することは、メーカー側が用紙データを一元管理できるメリットがある。例えばメーカーが標準用紙を追加する場合、サーバ１０１の記憶手段に標準用紙の用紙データを追加するだけでよい。サーバ１０１からネットワーク１００を介して用紙データが提供されれば、ユーザがパッチ画像を出力、測色して補正パラメータを新規に算出しなければならないケースが減るためユーザの負担が軽減される。
【００３９】
図１１は、画像形成システムの別の実施形態について説明する図である。
ネットワーク１００を介して、サーバ１０１と画像形成装置１０２および画像形成装置１０３が接続されている。ここで、画像形成装置１０２および画像形成装置１０３は同じ構成である。
画像形成装置１０２と画像形成装置１０３が同じ機種であり、同じ入力画像を同じ補正パラメータで同じ種の用紙に出力しても、厳密には転写特性の違いによるガマット差（ガマット歪の度合いの差）が発生して色が一致しないケースがある。
【００４０】
即ち、図３及び図４を参照して、用紙の表面粗さと転写残りの関係、それによって決まる用紙に載るトナー量について説明したが、用紙に載るトナー量は、用紙の表面粗さによって変わるだけでなく、各画像形成装置でどれくらい転写残りが発生するか、即ち転写特性によっても変わる。
各画像形成装置１０２、１０３は、オペレーションパネル７上でターゲットとなる他の画像形成装置１０２、１０３を指定するモードを持っている。例えば、画像形成装置１０２で画像出力する際に、画像形成装置１０２のオペレーションパネル７上でターゲットとして他の画像形成装置１０３を指定することができる。同時に、出力に使用する用紙種も指定することができる。
【００４１】
サーバ１０１は、ターゲットとして指定された画像形成装置１０３の記憶手段から指定された用紙種の補正パラメータを読み出して、ネットワーク１００を介して画像形成装置１０２に送信する。画像形成装置１０２の補正手段は、指定された用紙種の画像形成装置１０２の補正パラメータＴｙ、Ｔｍ、Ｔｃ、Ｔｋと、画像形成装置１０３の補正パラメータＴｙ２、Ｔｍ２、Ｔｃ２、Ｔｋ２を受け取り、式１〜式４に代わって以下の式６〜式９を適用する。
【００４２】
【数２】
2014057155.tif 000004
【００４３】
なお、式６〜式９は、式１〜式４の補正結果に対して、ＹをＴｙ／Ｔｙmax倍、ＭをＴｍ／Ｔｍmax倍、ＣをＴｃ／Ｔｃmax倍、ＫをＴｋ／Ｔｋmax倍した式である。式１〜４によれば、用紙Ａ（図７）に対して用紙Ｂは図９のように補正され、歪はとれてもガマットの大きさに差があるが、式６〜式９では、ガマットの大きさも合わせるような補正を行うことができる。
【００４４】
つまり、式６〜式９を適用して補正することにより、画像形成装置１０２と画像形成装置１０３において、転写残りにより発生するガマット歪が補正され、かつ、両方の装置の共通ガマット内に補正される。画像形成装置１０３で画像出力する際は、画像形成装置１０３のオペレーションパネル７上でターゲットとして画像形成装置１０２を指定して、同様の処理を行えば、画像形成装置１０２と画像形成装置１０３の再現色を一致させることができる。
【００４５】
以上、本発明の実施形態について説明したが、これによれば次の効果（i）〜（vi）を得ることができる。即ち、
（i）上に載る色の転写残りにより発生したガマット歪を補正することができる。
（ii）比較的簡易な変換式でガマット補正が行える。
（iii）基準用紙との表面粗さの差を反映した適切な補正パラメータを設定することができる。
（iv）一度補正パラメータ設定した用紙種に関しては、記憶手段に記憶したものを読み出して使うことができ、パッチ画像を出力して測色して新規に補正パラメータを算出する際の手間や用紙および色材の消費が抑えられる。
（v）メーカー側が用紙データを一元管理でき、ユーザがパッチ画像を出力、測色して補正パラメータを新規に算出しなければならないケースが減るため、ユーザの負担が軽減される。
（vi）転写残りにより発生するガマット歪の補正、かつ、両方の装置の共通ガマット内への補正により、２つの画像形成装置の再現色を一致させることができる。
【符号の説明】
【００４６】
１・・・画像データ取得手段、２、３・・・色変換手段、４・・・補正手段、５・・・補正パラメータ設定手段、６・・・プリンタ出力手段、７・・・オペレーションパネル、８・・・記憶手段、９・・・パッチ画像データ送信手段、１０・・・測色手段、１１・・・補正パラメータ算出手段、１００・・・ネットワーク、１０１・・・サーバ、１０２、１０３・・・画像形成装置。
【先行技術文献】
【特許文献】
【００４７】
【特許文献１】特開２００７―８６１５４号公報
【図１】
2014057155.tif 000005
【図２】
2014057155.tif 000006
【図３】
2014057155.tif 000007
【図４】
2014057155.tif 000008
【図５】
2014057155.tif 000009
【図６】
2014057155.tif 000010
【図７】
2014057155.tif 000011
【図８】
2014057155.tif 000012
【図９】
2014057155.tif 000013
【図１０】
2014057155.tif 000014
【図１１】
2014057155.tif 000015